(57)【要約】【課題】非常時であっても特定重要通信を確保できるネットワーク装置を提供する。【解決手段】ルータ１０１において、Ｌ２／Ｌ３スイッチ１１１は、データの授受を行うポートを複数有しており該ポート間でデータの交換を行う。また、メモリ１１４に格納されているデータベースには、データの交換を行うポートの情報が登録されている。通信システム１０２は、特定の信号の受信を検出する。ルータ１０１備えられているＣＰＵ１１３は、通信システム１０２が当該特定の信号の受信を検出したときにＬ２／Ｌ３スイッチ１１１を制御して、当該ポートのうち当該データベースに登録されている情報で示されているポート間でのみデータの交換を行わせ、他のポートはデータの授受を中止させる。【選択図】図３
2008167119.tif 000002
【特許請求の範囲】
【請求項１】
データの授受を行うポートを複数有しており該ポート間でデータの交換を行うデータ交換手段と、
データの交換を行うポートの情報が登録されているデータベースと、
特定の信号の受信を検出する検出手段と、
前記検出手段が前記特定の信号の受信を検出したときに前記データ交換手段を制御して、前記ポートのうち前記データベースに登録されている情報で示されているポート間でのみデータの交換を行わせ、他のポートはデータの授受を中止させる制御手段と、
を有することを特徴とするネットワーク装置。
【請求項２】
前記制御手段は、前記検出手段が前記特定の信号の受信を検出したときには、前記データベースに登録されている情報で示されているもの以外のポートにおいてデータの授受を行うために消費される電力の供給を遮断することを特徴とする請求項１に記載のネットワーク装置。
【請求項３】
前記制御手段は、前記検出手段による前記特定の信号の受信の検出に応じて行った前記データ交換手段に対する前記制御の後に、該制御手段が制御動作を実行するために消費する電力を供給している電源系の動作を停止させることを特徴とする請求項２に記載のネットワーク装置。
【請求項４】
データの授受を行うポートを複数有しており該ポート間でデータの交換を行うデータ交換器を備えているネットワーク装置の制御方法であって、
前記ネットワーク装置が備えている記憶部に、データの交換を行うポートの情報を登録してデータベースを構築しておき、
前記ネットワーク装置が備えている検出部であって特定の信号の受信を検出する該検出部が該特定の信号の受信を検出したか否かを判定し、
前記検出部が前記特定の信号の受信を検出したと判定したときに前記データ交換器を制御して、前記ポートのうち前記データベースに登録されている情報で示されているポート間でのみデータの交換を行わせ、他のポートはデータの授受を中止させる、
ことを特徴とするネットワーク装置の制御方法。
【請求項５】
データの授受を行うポートを複数有しており該ポート間でデータの交換を行うデータ交換器を備えているネットワーク装置の制御装置であって、
データの交換を行うポートの情報が登録されているデータベースと、
特定の信号の受信を検出する検出手段と、
前記検出手段が前記特定の信号の受信を検出したときに前記ネットワーク装置に備えられているデータ交換器を制御して、前記ポートのうち前記データベースに登録されている情報で示されているポート間でのみデータの交換を行わせ、他のポートはデータの授受を中止させる制御手段と、
を有することを特徴とするネットワーク装置の制御装置。
【発明の詳細な説明】
【技術分野】
【０００１】
本発明は、データ交換技術に関し、特に、特定通信用の通信ネットワークを非常時に確保する技術に関する。
【背景技術】
【０００２】
災害対策の意識が近年は非常に高まってきている。地震や津波といった災害等の非常時における通信ネットワークの確保は至上命題であり、このことは電気通信事業法や電波法などの法律においても重要事項として規定されている。
【０００３】
ルータやスイッチなどといった、通信ネットワークで伝送されるデータの交換を行うネットワーク装置は、災害等の非常時における停電の発生により装置がダウンすることを回避するため、ＵＰＳ（Uninterruptible Power Supply：無停電電源装置）等の補助電源でバックアップを行うことが考えられる。しかし、ネットワーク装置は消費電力の大きいものが少なくない（例えば５０〜７００ワット程度）ため、ネットワーク装置を補助電源で長時間安定して稼動させることは容易なことではない。
【０００４】
本発明に関し、例えば特許文献１には、ネットワークを介して特定の信号を他の装置へ送信すると、この信号を受け取った当該他の装置自身が機能を停止させ若しくは停止している機能を復帰させるという技術が開示されている。
【特許文献１】特開２００１−２４２９６７号公報
【発明の開示】
【発明が解決しようとする課題】
【０００５】
災害等の非常時には、例えば、気象情報や、警察及び消防関係の通信、あるいは放送のための通信の確保は特に重要である。しかし、このような通信（「特定重要通信」と称することとする）を非常時に確保しようとしても、前述したように、ネットワーク装置を補助電源で長時間安定して稼動させることは容易なことではない。また、有線通信路を利用した通信ネットワークでは、災害の発生により通信路が物理的に切断されてしまうことで通信ネットワークが不通となってしまうことも想定される。
【０００６】
本発明は上述した問題に鑑みてなされたものであり、その解決しようとする課題は、非常時であっても特定重要通信を確保できるネットワーク装置を提供することである。
【課題を解決するための手段】
【０００７】
本発明の態様のひとつであるネットワーク装置は、データの授受を行うポートを複数有しており該ポート間でデータの交換を行うデータ交換手段と、データの交換を行うポートの情報が登録されているデータベースと、特定の信号の受信を検出する検出手段と、前記検出手段が前記特定の信号の受信を検出したときに前記データ交換手段を制御して、前記ポートのうち前記データベースに登録されている情報で示されているポート間でのみデータの交換を行わせ、他のポートはデータの授受を中止させる制御手段と、を有することを特徴とするものであり、この特徴によって前述した課題を解決する。
【０００８】
この構成によれば、非常時の発生を通知する特定の信号を受信すると、データベースに示されているポート間のみでデータ交換が行われる。従って、このポート間で特定重要通信を行うようにしておくことで、非常時における特定重要通信の確保が可能となる。
【０００９】
なお、上述した本発明に係るネットワーク装置において、前記データは例えばＩＰパケ
ットである。
また、前述した本発明に係るネットワーク装置において、前記データ交換手段は例えばＬ２／Ｌ３スイッチである。
【００１０】
また、前述した本発明に係るネットワーク装置において、前記検出手段は、無線通信路を介して送られてくる前記特定の信号の受信を検出するように構成してもよい。
この構成によれば、災害等により有線通信路が途絶しても、無線通信路を介して特定の信号が送られてくるので、特定重要通信の確保が可能となる。
【００１１】
なお、このとき、前記検出手段によって検出される特定の信号は例えば特定の周波数の信号である。
また、前述した本発明に係るネットワーク装置において、前記制御手段は、前記検出手段が前記特定の信号の受信を検出したときには、前記データベースに登録されている情報で示されているもの以外のポートにおいてデータの授受を行うために消費される電力の供給を遮断するように構成してもよい。
【００１２】
この構成によれば、ネットワーク装置の消費電力が減少するので、補助電源でネットワーク装置を稼働させたときの稼働時間が長くなる。
なお、このとき、前記制御手段は、前記検出手段が前記特定の信号の受信を検出したときには、前記ネットワーク装置に備えられている複数の電源系のうち、前記データベースに登録されている情報で示されているポート間でのデータの交換のために消費される電力を供給している電源系を除いたものの動作を停止させるように構成してもよい。
【００１３】
この構成によれば、動作を停止させる電源系で生じていた電力損失分だけネットワーク装置の消費電力が更に減少するので、補助電源でネットワーク装置を稼働させたときの稼働時間が更に長くなる。
【００１４】
また、このとき、前記制御手段は、前記検出手段による前記特定の信号の受信の検出に応じて行った前記データ交換手段に対する前記制御の後に、該制御手段が制御動作を実行するために消費する電力を供給している電源系の動作を停止させるように構成してもよい。
【００１５】
この構成によれば、制御手段を動作させる電源系で生じていた電力損失分だけネットワーク装置の消費電力が更に減少するので、補助電源でネットワーク装置を稼働させたときの稼働時間が更に長くなる。
【００１６】
また、本発明の別の態様のひとつであるネットワーク装置の制御方法は、データの授受を行うポートを複数有しており該ポート間でデータの交換を行うデータ交換器を備えているネットワーク装置の制御方法であって、前記ネットワーク装置が備えている記憶部に、データの交換を行うポートの情報を登録してデータベースを構築しておき、前記ネットワーク装置が備えている検出部であって特定の信号の受信を検出する該検出部が該特定の信号の受信を検出したか否かを判定し、前記検出部が前記特定の信号の受信を検出したと判定したときに前記データ交換器を制御して、前記ポートのうち前記データベースに登録されている情報で示されているポート間でのみデータの交換を行わせ、他のポートはデータの授受を中止させる、ことを特徴とするものであり、この特徴により、前述した本発明に係るネットワーク装置と同様の作用・効果を生じる結果、前述した課題が解決される。
【００１７】
また、本発明の更なる別の態様のひとつであるネットワーク装置の制御装置は、データの授受を行うポートを複数有しており該ポート間でデータの交換を行うデータ交換器を備えているネットワーク装置の制御装置であって、データの交換を行うポートの情報が登録
されているデータベースと、特定の信号の受信を検出する検出手段と、前記検出手段が前記特定の信号の受信を検出したときに前記ネットワーク装置に備えられているデータ交換器を制御して、前記ポートのうち前記データベースに登録されている情報で示されているポート間でのみデータの交換を行わせ、他のポートはデータの授受を中止させる制御手段と、を有することを特徴とするものであり、この特徴により、前述した本発明に係るネットワーク装置と同様の作用・効果を生じる結果、前述した課題が解決される。
【発明の効果】
【００１８】
本発明によれば、以上のようにすることにより、非常時であっても特定重要通信を確保できるネットワーク装置を提供できるようになるという効果を奏する。
【発明を実施するための最良の形態】
【００１９】
以下、本発明の実施の形態を図面に基づいて説明する。
まず図１について説明する。同図は、本発明を実施するネットワーク装置を用いて構成されている通信ネットワークの一例を示している。この通信ネットワークの例はＩＰネットワーク網である。
【００２０】
図１において、地点Ａに設置されているネットワーク装置１１、地点Ｂに設置されているネットワーク装置１２、及び地点Ｃに設置されているネットワーク装置１３は、いずれも図１に示した通信ネットワークで伝送されるデータ（ＩＰパケット）の交換を行うものである。
【００２１】
ここで、ネットワーク装置１１はネットワーク装置１２及び１３の各々と有線通信路により接続されており、ネットワーク装置１２はネットワーク装置１３と有線通信路により接続されている。更に、ネットワーク装置１３は、インターネット網２０及び基地局３０と有線通信路により接続されている。
【００２２】
なお、図１の例では、基地局３０は、ネットワーク装置１１、１２、及び１３の各々との間で無線通信路によっても直接接続可能な位置に設置されており、ネットワーク装置１３は、ネットワーク装置１１及び１２の各々との間で無線通信路によっても直接接続可能な位置に設置されているものとする。一方、ネットワーク装置１１と１２との間では無線通信路による直接接続が不能な位置に設置されているものとする。
【００２３】
図１におけるネットワーク装置１１、１２、及び１３の構成を図２に示す。同図に示すように、ネットワーク装置１１、１２、及び１３は、いずれも、ルータ１０１と無線システム１０２とを備えて構成されている。
【００２４】
ルータ１０１はポート間でデータの転送を行い、無線システム１０２は、他のネットワーク装置との間での無線通信路を提供する。ここで、ルータ１０１に備えられているポートのうちのひとつには無線システム１０２が接続されており、残りのポートのうちのひとつには、前述した特定重要通信を行うための対向装置が接続されている。また、ルータ１０１に備えられている残りのポートには、特定重要通信ではない一般通信のための有線通信路が接続されている。
【００２５】
なお、図２に示したルータ１０１は６個のポートを備えているが、このポート数は６個でなくてもよい。また、ルータ１０１の代わりにスイッチングハブを用いるようにしてもよい。
【００２６】
図２に示したルータ１０１の詳細構成の第一の例を図３に示す。
図３において、Ｌ２／Ｌ３スイッチ１１１は、ポート間でＩＰパケットの転送をヘッダ
情報に従って行う回路である。ＰＨＹ１１２−１〜１１２−５は物理層の処理を行う回路であり、本実施形態では、データ通信のために対向装置との間で授受されるイーサネットフレームの処理を行う回路である。また、図１の例においては、Ｌ２／Ｌ３スイッチ１１１のポートの１つは、高周波信号に対してＩＰパケットの変調及び復調を行う無線回路と空中線（アンテナ）とを備えている無線システム１０２とも接続されている。
【００２７】
ＣＰＵ１１３は、所定の制御プログラムを実行することによってルータ１０１全体の動作管理を司る中央処理装置である。また、メモリ１１４はＲＯＭとＲＡＭとを備えている。ここで、ＲＯＭにはＣＰＵ１１３で実行される制御プログラムや後述するデータベースが格納されている。ＲＡＭは、ＣＰＵ１１３が制御プログラムを実行する際における作業用一時記憶領域として使用される。
【００２８】
オンボード電源（ＯＢＰ）１２０−１〜１２０−５は、入力電力の電圧を変換してルータ１０１の各部へ供給する。図３の例では、商用電源（交流１００ボルト）をＯＢＰ１２０−１が１２ボルトの直流電圧に一旦変換し、その後にＯＢＰ１２０−２〜１２０−５により、ルータ１０１の各部に必要な５ボルト、３．３ボルト、２．５ボルト、及び１．８ボルトの各電圧に変換している。
【００２９】
ルータ１０１は以上のように構成されている。なお、図３において、Ｌ２／Ｌ３スイッチ１１１を備えたルータ１０１を制御する制御装置として、無線回路システム１０２、ＣＰＵ１１３、及びメモリ１１４を備えたものを構成することも可能である。
【００３０】
図１に示した通信ネットワークにおいて、ネットワーク装置１１、１２、及び１３をそれぞれ構成しているルータ１０１では、ネットワーク装置１１−１２間、１２−１３間、及び１３−１１間の有線通信路は、いずれも一般通信用のポートに接続されている。また、ネットワーク装置１３を構成しているルータ１０１では、基地局２０との間の有線通信路、及びインターネット網３０との間の有線通信路も、一般通信用のポートに接続されている。
【００３１】
ここで、地震や津波などの災害が実際に発生したとき、若しくはこのような災害の発生が予見されたとき、基地局２０は、予め定められた信号（緊急通報信号）で変調されている予め定められた周波数の電波を送信して非常状態の発生通知を行う。図４に示すように、この電波は、ネットワーク装置１１、１２、及び１３の各々が備えている無線システム１０２で受信される。従って、図１に示した通信ネットワークにおける有線通信路が災害の影響等により途絶していたとしても（通信ケーブルの切断など）、緊急通報信号は無線通信路を介して無線システム１０２まで届く。
【００３２】
ネットワーク装置１１、１２、及び１３の各々が備えているルータ１０１のＣＰＵ１１３は、この緊急通報信号を受信したことが無線システム１０２から通知されると、ルータ１０１の動作状態を通常の動作モードから災害時動作モードへと移行する。
【００３３】
災害時動作モードに移行すると、ＣＰＵ１１３は、メモリ１１４に格納されている図５に例示するような災害時データベースを参照し、そこに示されているポート間でのテータ交換のみを行うようにＬ２／Ｌ３スイッチ１１１を制御する。
【００３４】
図５に例示した災害時データベースには、ルータ１０１へ送られてくるデータ（ＩＰパケット）のうちで、ポート１からポート２宛てのものと、ポート２からポート１宛てのもののみについて転送を行い、その他のものは転送しないことが示されている。つまり、このデータベースの内容は、ポート１−ポート２間のみのデータ通信を許可することを示している。
【００３５】
災害時データベースが図５に示されているように設定されている場合におけるルータ１０１の動作について、図６Ａ及び図６Ｂを用いて説明する。なお、説明を簡単にするために、ここでは、ルータ１０１が備えているポートの個数を４個とする。
【００３６】
図６Ａは、通常の動作モードで動作しているルータ１０１のメモリ１１４に格納されているＭＡＣ（Media Access Control）テーブルの例を示している。
この例に従えば、例えば、同図に示されている（５）のＭＡＣアドレスを宛先としているＩＰパケットをルータ１０１のポート１が受信した場合には、ルータ１０１は、このＩＰパケットをポート４に転送して送信する。また、例えば、同図に示されている（３）のＭＡＣアドレスを宛先としているＩＰパケットをポート１が受信した場合には、ルータ１０１は、このＩＰパケットをポート２に転送して送信する。
【００３７】
一方、図６Ｂは、緊急通報信号を無線システム１０２の受信により災害時動作モードで動作しているルータ１０１のメモリ１１４に格納されているＭＡＣテーブルの例を示している。
【００３８】
災害時データベースが図５に示されているように設定されている場合には、ルータ１０１のＣＰＵ１１３が図５に示した災害時データベースの内容に基づいてＬ２／Ｌ３スイッチ１１１を制御し、ルータ１０１のポート３及び４をシャットダウンし、ポート１−ポート２間のみでのデータ交換を可能とする。また、ポート３及び４をシャットダウンしたことに伴い、ＭＡＣテーブルの内容のうちポート３及び４に関連する（４）及び（５）の項目を、図６Ｂに示すように削除する。従って、例えば、同図に示されている（３）のＭＡＣアドレスを宛先としているＩＰパケットをルータ１０１のポート１が受信した場合には、ルータ１０１は、このＩＰパケットをポート２に転送して送信するが、例えば、同図に示されている（５）のＭＡＣアドレスを宛先としているＩＰパケットをポート１が受信した場合には、ルータ１０１は、このＩＰパケットを破棄する。
【００３９】
なお、一般的なレイヤ２スイッチは、方路がＭＡＣテーブルに示されていないＩＰパケットを受信した場合には、そのＩＰパケットを全てのポートにブロードキャストするが、本実施形態においては、このような場合にはＩＰパケットを破棄するものとする。
【００４０】
以上のように、図１に示したルータ１０１では、緊急通報信号を受信したことが無線システム１０２から通知されると、ＣＰＵ１１３が、図５に示したデータベースを参照し、この内容に基づいて、ＰＨＹ１１２−１〜１１２−５のうち、一般通信用途であるポート３から６に対応するものを通信禁止としてリンクダウン（対向装置との間の通信リンクの切断）状態へ強制的に遷移させ、通信システム１０２が接続されているポート１と、特定重要通信を行うための対向装置が接続されているポート２との間でのデータ交換のみを行うようにする。
【００４１】
ネットワーク装置１１、１２、及び１３の各々が備えているルータ１０１における災害時データベース及びＭＡＣテーブルの設定例を図７に示す。なお、これらの設定は、図１に示した通信ネットワークの構築時に予め行われる。
【００４２】
図７において、例えば、地点Ａのネットワーク装置１１におけるルータ１０１では、災害時データベースの設定内容を図５に例示したものと同一の内容にしておく。そして、ＭＡＣテーブルでは、地点Ｃのネットワーク装置１３のＭＡＣアドレスをポート１の項目に設定しておくと共に、地点Ａにおける特定重要通信を行うための対向装置のＭＡＣアドレスを設定しておく。
【００４３】
図７に示したようにネットワーク装置１１、１２、及び１３が設定されている通信ネットワークでは、動作モードが災害時動作モードへと移行した後は、この設定内容に従って通信を行う。この結果、非常状態下での地点Ａ−地点Ｃ間、地点Ｂ−地点Ｃ間、及び地点Ｃ−基地局間の無線通信路が確保され、これらのノード間では特定重要通信であるＩＰパケットを直接授受することができる。また、地点Ａ−地点Ｂ間においても、地点Ｃにおける特定重要通信用の対向装置を中継装置として使用することができれば、特定重要通信であるＩＰパケットを間接的に授受することができる。
【００４４】
また、ネットワーク装置１１、１２、及び１３の各々に設けられているルータ１０１のＣＰＵ１１３は、動作モードを災害時動作モードへ移行して特定重要通信のための通信方路を確定した後には、ルータ１０１の消費電力を低下させるための処理を行う。すなわち、ルータ１０１のハードウェア資源のうち、特定重要通信のための通信路の維持に必要ではないものの機能を停止する処理を行う。この処理を実行することにより、災害等により商用電源の停電が発生し、バックアップ電源による運用を行う場合において、その稼動時間を長くすることができる。
【００４５】
図８は、図３に示したルータ１０１の詳細構成において特定重要通信のための通信路の維持に必要なハードウェア資源を示している。ここでは、図８において網掛けを付したハードウェア資源、すなわち、ルータ１０１の詳細構成のうちＬ２／Ｌ３スイッチ１１１の一部、ＰＨＹ１１２−１、及びＯＢＰ１２０−１、１２０−３、１２０−５が、無線システム１０２と共に、特定重要通信のための通信路の維持に必要なハードウェア資源であるとしている。
【００４６】
従って、ＣＰＵ１１３は、特定重要通信のための通信方路を確定した後に、上述したもの以外のハードウェア資源の機能を停止し、更に、ＣＰＵ１１３自身の機能をも停止させる。
【００４７】
ここで図９について説明する。同図は、ＣＰＵ１１３によって行われる、災害時動作モードのための制御処理の処理内容をフローチャートで示したものである。ＣＰＵ１１３は、メモリ１１４に予め格納されている制御プログラムを読み出して実行することによって、この図９の制御処理の実現が可能となる。
【００４８】
この図９の処理はルータ１０１へ電力が供給されると開始され、まず、Ｓ１０１では、ルータ１０１を通常の動作モードで動作させるための処理が行われる。
次に、Ｓ１０２では、無線システム１０２から通知される情報を取得する処理が行われ、続くＳ１０３において、基地局３０からの緊急通報信号を受信したことの通知を示す情報を無線システム１０２から取得したか否かを判定する処理が行われる。ここで、当該通知を取得したと判定したとき（判定結果がＹｅｓのとき）はＳ１０４に処理を進める。一方、ここで、当該通知は取得していないと判定したとき（判定結果がＮｏのとき）はＳ１０２に処理を戻して上述した処理が繰り返される。
【００４９】
Ｓ１０４では、メモリ１０４に格納されている災害時データベースの内容を参照する処理が行われ、続くＳ１０５において、この災害時データベースの内容に基づいて特定重要通信のための通信方路を決定する処理が前述したようにして行われる。
【００５０】
Ｓ１０６では、決定された通信方路に基づいてＬ２／Ｌ３スイッチ１１１及びＰＨＹ１１２−１〜１１２−５を制御し、特定重要通信には使用しないポートをシャットダウンさせる処理が行われる。
【００５１】
Ｓ１０７では、ＯＢＰ１２０−２〜１２０−５を制御し、これらのうちＳ１０６でシャ
ットダウンさせたハードウェア資源にのみ電力を供給していたものを停止させて電力供給を遮断する処理が行われ、続くＳ１０８において、ＣＰＵ１１３の動作を停止させる処理が行われ、その後はこの図９の処理を終了する。なお、このＳ１０８の処理は、ＣＰＵ１１３へ供給される電力の電圧が降下してＣＰＵ１１３が正常に動作できなくなる前に行うようにする。このように、ＯＢＰからハードウェア資源への電力供給線を単純に切断するのではなく、ＯＢＰそのものの動作を停止させることで、ＯＢＰで生じていた電力損失分も減少させることができる。
【００５２】
以上の処理をルータ１０１のＣＰＵ１１３が行うことにより、ルータ１０１の動作状態を、基地局３０からの緊急通報信号の受信に応じて通常動作モードから災害時動作モードへと移行させて動作させることができるようになる。なお、ルータ１０１の動作状態を災害時動作モードから通常動作モードへと復帰させるには、例えばルータ１０１を手動で再起動させるようにする。
【００５３】
このように、本実施形態に係るネットワーク装置１１、１２、及び１３を用いて構成されている図１の通信ネットワークでは、ネットワーク装置１１、１２、及び１３を構成しているルータ１０１が以上のように動作するので、非常時における特定重要通信が確保される。また、ルータ１０１に備えられている電源系であるＯＢＰ１２０−１〜１２０−５のうち、災害時データベースに示されているポート間でのＩＰパケットの交換のために消費される電力を供給しているもの以外のものの動作を停止させるので、商用電源の停電時における補助電源での運用において、特定重要通信のための通信路を従来よりも長時間に亘って維持することができる。
【００５４】
次に図１０について説明する。同図は、図２に示したルータ１０１の詳細構成の第二の例を示している。なお、ここでは、図１０に示した構成のうち、図３に示した第一の例と異なる点を説明する。
【００５５】
図１０に示した第二の例では、Ｌ２／Ｌ３スイッチ１１１とＰＨＹ１１２−１との間にＡＳＩＣ（Application Specific Integrated Circuit ）１１５が備えられている。ＡＳＩＣ１１５はＣＰＵ１１３によってその動作が制御される。ＣＰＵ１１３は、ルータ１０１を通常動作モードで動作させる場合には、ＡＳＩＣ１１５でＬ２／Ｌ３スイッチ１１１とＰＨＹ１１２−１とを接続して両者の間でＩＰパケットの授受を行わせる。一方、ルータ１０１を災害時動作モードで動作させる場合には、ＡＳＩＣ１１５で無線システム１０２とＰＨＹ１１２−１とを接続し、Ｌ２／Ｌ３スイッチ１１１を経由することなく両者の間でＩＰパケットの直接授受を行わせる。このようにすることで、ルータ１０１を構成するハードウェア資源のうち消費電力が顕著に大きいＬ２／Ｌ３スイッチ１１１を災害時動作モード時に完全に停止させることができるので、特定重要通信のための通信路を更に長時間に亘って維持することが可能になる。
【００５６】
なお、図１０の例では、ＰＨＹ１１２−１及びＡＳＩＣ１１５は、ＯＢＰ１２０−６若しくは１２０−７から出力される電力のみで駆動できる構成としている。従って、ＣＰＵ１１３は、Ｌ２／Ｌ３スイッチ１１１及びＰＨＹ１１２−１〜１１２−５を制御して特定重要通信には使用しないポートをシャットダウンさせる処理を終えた後に、ＯＢＰ１２０−２〜１２０−５を制御して電力の供給を停止させる処理を行う。
【００５７】
また、この例では、補助電源として、１００ボルトの交流電圧を出力するＵＰＳではなく、１２ボルトの直流電圧を出力する電源（例えば、乗用車の多くで使用されている１２ボルトのバッテリー）を使用することを前提としており、この電源を使用する場合にはＯＢＰ１２０−７が電源電圧の変換を行ってＰＨＹ１１２−１及びＡＳＩＣ１１５へ電力を供給するように構成している。ここで、災害時動作モード時において、交流１００ボルト
の商用電源が供給されている間は、ＯＢＰ１２０−６を動作させてＯＢＰ１２０−７の動作を停止させておく。そして、商用電源の停電によりＯＢＰ１２０−６の出力電圧が所定の閾値を下回った場合には、ＯＢＰ１２０−６を停止する一方で、ＯＢＰ１２０−７を動作させ、ＰＨＹ１１２−１及びＡＳＩＣ１１５への電力供給を継続する。
【００５８】
なお、本発明は、上述した実施形態に限定されることなく、本発明の要旨を逸脱しない範囲内で種々の改良・変更が可能である。
なお、上記した実施の形態から次のような構成の技術的思想が導かれる。
（付記１）データの授受を行うポートを複数有しており該ポート間でデータの交換を行うデータ交換手段と、
データの交換を行うポートの情報が登録されているデータベースと、
特定の信号の受信を検出する検出手段と、
前記検出手段が前記特定の信号の受信を検出したときに前記データ交換手段を制御して、前記ポートのうち前記データベースに登録されている情報で示されているポート間でのみデータの交換を行わせ、他のポートはデータの授受を中止させる制御手段と、
を有することを特徴とするネットワーク装置。
（付記２）前記データはＩＰパケットであることを特徴とする付記１に記載のネットワーク装置。
（付記３）前記データ交換手段はＬ２／Ｌ３スイッチであることを特徴とする付記１に記載のネットワーク装置。
（付記４）前記検出手段は、無線通信路を介して送られてくる前記特定の信号の受信を検出することを特徴とする付記１に記載のネットワーク装置。
（付記５）前記検出手段によって検出される特定の信号は特定の周波数の信号であることを特徴とする付記４に記載のネットワーク装置。
（付記６）前記制御手段は、前記検出手段が前記特定の信号の受信を検出したときには、前記データベースに登録されている情報で示されているもの以外のポートにおいてデータの授受を行うために消費される電力の供給を遮断することを特徴とする付記１に記載のネットワーク装置。
（付記７）前記制御手段は、前記検出手段が前記特定の信号の受信を検出したときには、前記ネットワーク装置に備えられている複数の電源系のうち、前記データベースに登録されている情報で示されているポート間でのデータの交換のために消費される電力を供給している電源系を除いたものの動作を停止させることを特徴とする付記６に記載のネットワーク装置。
（付記８）前記制御手段は、前記検出手段による前記特定の信号の受信の検出に応じて行った前記データ交換手段に対する前記制御の後に、該制御手段が制御動作を実行するために消費する電力を供給している電源系の動作を停止させることを特徴とする付記６に記載のネットワーク装置。
（付記９）データの授受を行うポートを複数有しており該ポート間でデータの交換を行うデータ交換器を備えているネットワーク装置の制御方法であって、
前記ネットワーク装置が備えている記憶部に、データの交換を行うポートの情報を登録してデータベースを構築しておき、
前記ネットワーク装置が備えている検出部であって特定の信号の受信を検出する該検出部が該特定の信号の受信を検出したか否かを判定し、
前記検出部が前記特定の信号の受信を検出したと判定したときに前記データ交換器を制御して、前記ポートのうち前記データベースに登録されている情報で示されているポート間でのみデータの交換を行わせ、他のポートはデータの授受を中止させる、
ことを特徴とするネットワーク装置の制御方法。
（付記１０）データの授受を行うポートを複数有しており該ポート間でデータの交換を行うデータ交換器を備えているネットワーク装置の制御装置であって、
データの交換を行うポートの情報が登録されているデータベースと、
特定の信号の受信を検出する検出手段と、
前記検出手段が前記特定の信号の受信を検出したときに前記ネットワーク装置に備えられているデータ交換器を制御して、前記ポートのうち前記データベースに登録されている情報で示されているポート間でのみデータの交換を行わせ、他のポートはデータの授受を中止させる制御手段と、
を有することを特徴とするネットワーク装置の制御装置。
【図面の簡単な説明】
【００５９】
【図１】本発明を実施するネットワーク装置を用いて構成されている通信ネットワークの一例を示す図である。
【図２】図１におけるネットワーク装置の構成を示す図である。
【図３】図２に示したルータの詳細構成の第一の例を示す図である。
【図４】緊急通報信号の伝送の様子を示す図である。
【図５】災害時データベースの設定内容の一例を示す図である。
【図６Ａ】通常の動作モードでのルータの動作を説明する図である。
【図６Ｂ】災害時動作モードでのルータの動作を説明する図である。
【図７】図１の通信ネットワークを構成している各ネットワーク装置のルータにおける災害時データベース及びＭＡＣテーブルの設定例を示す図である。
【図８】図３に示したルータの詳細構成において特定重要通信のための通信路の維持に必要なハードウェア資源を示す図である。
【図９】災害時動作モードのための制御処理の処理内容をフローチャートで示した図である。
【図１０】図２に示したルータの詳細構成の第二の例を示す図である。
【符号の説明】
【００６０】
１１、１２、１３  ネットワーク装置
２０  インターネット網
３０  基地局
１０１  ルータ
１０２  無線システム
１１１  Ｌ２／Ｌ３スイッチ
１１２−１〜１１２−５  ＰＨＹ
１１３  ＣＰＵ
１１４  メモリ
１１５  ＡＳＩＣ
１２０−１〜１２０−７  オンボード電源（ＯＢＰ）
【図３】
2008167119.tif 000003
【図５】
2008167119.tif 000004
【図６Ａ】
2008167119.tif 000005
【図６Ｂ】
2008167119.tif 000006
【図９】
2008167119.tif 000007
【図１】
2008167119.tif 000008
【図２】
2008167119.tif 000009
【図４】
2008167119.tif 000010
【図７】
2008167119.tif 000011
【図８】
2008167119.tif 000012
【図１０】
2008167119.tif 000013